【事件の表示】
　特許第２９７６３３５号「立体祭壇装置」の請求項１ないし４に係る特許に対する特許異議の申立てについて、次のとおり決定する。
【結　論】
　訂正を認める。
　特許第２９７６３３５号の請求項１ないし４に係る特許を維持する。
【理　由】
１．手続の経緯
　本件特許第２９７６３３５号に係る出願は、平成９年６月２６日の出願であって、平成１１年９月１０日に特許の設定登録がなされ、その後、株式会社ダイフクから特許異議の申立がなされ、取消理由通知が通知され、その指定期間内である平成１２年１０月１０日付けで訂正請求がなされたものである。
　
２．訂正の要旨
　訂正事項ａ：特許請求の範囲の【請求項１】を、次のように訂正する。
「パレットに載置した祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との間で祭礼用容器を搬送する搬送装置とを具備する立体祭壇装置において、パレットに複数の箱体を縦列に配置して載置すると共に、各箱体の搬出入方向と平行な側面に表示部を形成して祭礼用容器を構成し、箱体を縦列配置した状態で前記祭礼用容器を収納棚の収納室に収納し、前記展示室に、複数の箱体の表示部を表示窓へ向くように祭礼用容器の回転と表示窓へ向けたスライドを行う回転スライド装置を配置したことを特徴とする、立体祭壇装置。」
　訂正事項ｂ：明細書の段落【０００５】の【課題を解決するための手段】の記載を、次のように訂正する。
「請求項１に係る発明は、パレットに載置した祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との間で祭礼用容器を搬送する搬送装置とを具備する立体祭壇装置において、パレットに複数の箱体を縦列に配置して載置すると共に、各箱体の搬出入方向と平行な側面に表示部を形成して祭礼用容器を構成し、箱体を縦列配置した状態で前記祭礼用容器を収納棚の収納室に収納し、展示室に、複数の箱体の表示部を表示窓へ向くように祭礼用容器の回転と表示窓へ向けたスライドを行う回転スライド装置を配置したことを特徴とする、立体祭壇装置である。請求項２に係る発明は、請求項１に記載の立体祭壇装置において、通路の両側に対向して収納棚を配置し、通路に位置させた搬送装置を介して、パレットに複数の箱体を縦列配置した祭礼用容器を各収棚の収納室内に搬出入することを特徴とする、立体祭壇装置である。請求項３に係る発明は、請求項１に記載の立体祭壇装置において、祭壇部に複数の表示窓を開閉する扉を設けたことを特徴とする、立体祭壇装置。請求項４に係る発明は、請求項１に記載の立体祭壇装置において、回転スライド装置が祭礼用容器を載置する載置板と、この載置板を９０度単位で鉛直軸を中心に回転する回転手段と、載置板を表示窓へ向けて水平に進退させる進退手段とにより構成することを特徴とする、立体祭壇装置である。」
　
３．訂正の適否
（１）訂正の目的の適否、新規事項の有無及び拡張・変更の存否
　上記訂正事項ａに係る訂正は、特許請求の範囲の減縮を目的とするものであり、しかもその訂正は、特許明細書の記載の範囲内のものであり、さらに、実質的に特許請求の範囲を拡張し、又は変更するものではない。
　また、訂正事項ｂに係る訂正は、訂正事項ａに関連し、特許請求の範囲との整合をとるためなされた明瞭でない記載の釈明に該当し、特許明細書の記載の範囲内のものであり、実質的に特許請求の範囲を拡張し、又は変更するものではない。
　したがって、上記訂正は、特許法第１２０条の４第２項及び第３項でさらに準用する特許法第１２６条第２項及び第３項の規定に適合するので、当該訂正を認める。
　  　
４．異議の申立てについての判断
（１）本件訂正後発明
　本件訂正明細書の請求項１ないし４に係る発明は、訂正明細書の特許請求の範囲の請求項１ないし４に記載された下記の事項により特定されるとおりのものである（以下、「訂正後発明１」、「訂正後発明２」、「訂正後発明３」および「訂正後発明４」という。）。
【請求項１】　パレットに載置した祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との間で祭礼用容器を搬送する搬送装置とを具備する立体祭壇装置において、パレットに複数の箱体を縦列に配置して載置すると共に、各箱体の搬出入方向と平行な側面に表示部を形成して祭礼用容器を構成し、箱体を縦列配置した状態で前記祭礼用容器を収納棚の収納室に収納し、前記展示室に、複数の箱体の表示部を表示窓へ向くように祭礼用容器の回転と表示窓へ向けたスライドを行う回転スライド装置を配置したことを特徴とする、立体祭壇装置。
【請求項２】　請求項１に記載の立体祭壇装置において、通路の両側に対向して収納棚を配置し、通路に位置させた搬送装置を介して、パレットに複数の箱体を縦列配置した祭礼用容器を各収棚の収納室内に搬出入することを特徴とする、立体祭壇装置。
【請求項３】　請求項１に記載の立体祭壇装置において、祭壇部に複数の表示窓を開閉する扉を設けたことを特徴とする、立体祭壇装置。　
【請求項４】　請求項１に記載の立体祭壇装置において、回転スライド装置が祭礼用容器を載置する載置板と、この載置板を９０度単位で鉛直軸を中心に回転する回転手段と、載置板を表示窓へ向けて水平に進退させる進退手段とにより構成することを特徴とする、立体祭壇装置。
　
（２）申立ての理由の概要
　申立人株式会社ダイフクは、証拠として甲第１号証（特開昭５９−１９２１６５号公報）、甲第２号証（特開平９−１３７６３６号公報）、甲第３号証（特開平６−１２７６１０号公報）、甲第４号証（特開平７−２６９１６８号公報）を提出して、本件請求項１ないし４に係る特許発明は、甲第１号証ないし甲第４号証に記載された発明に基づいて、当業者が容易に発明をすることができたものであるから、特許法第２９条第２項の規定により特許を受けることができないものであり、本件の特許を取り消すべきであると主張している。
　
（３）甲各号証記載の発明
　甲第１号証には、特許請求の範囲の請求項１、第３頁右上欄第１１行から第４頁左上欄第１１行、第５頁右上欄第４行から左下欄第１０行及び第２図ないし第４図の記載を参照すると、「壇を収容する複数の格納部を上下左右に形成した枠組構造と、壇が停止されるローラーステーションと、ローラーステーションと対応させて設けられ、扉を開けることで壇を礼拝する礼拝場所と、特定の格納部とローラーステーションとの間で壇を搬送する搬送装置とを具備し、枠組構造を通路の両側に対向して配置し、通路に位置させた搬送装置を介して壇を枠組構造の格納部内に搬出入し、ローラーステーションには礼拝場所へ向けたスライドを行うローラーを配置した慰霊施設」が記載されている。
　甲第２号証には、段落【０００１】、【００２７】、【００５８】、【００７４】及び図２、４、８、１９の記載を参照すると、「遺骨が収納される収納具を各別に収納保管自在な複数の収納部を備えた保管部本体と、収納具が搬出される礼拝部と、各収納部と礼拝部との間で収納具を搬送する搬送手段とが備えられた納骨保管装置において、収納部から収納具を搬送する際検出手段として使用し、礼拝部では外方側から見ることができない、収納具の台座における横側面部分に識別情報を示す指示部としてのバーコードを付設することおよび、１つの台座上前後方向に衝立を隔てて複数の遺骨収納部を備えて夫婦の遺骨や家族の遺骨を同時に収納させる構成」が記載されている。
　甲第３号証には、段落【００１７】、【００１８】及び図４の記載を参照すると、「コンテナを保持する支持台と、支持台をレールと直交する向きに回転するモータの駆動力により回転自在な回転台と、レールに沿ってモータの駆動によりカウンター台に接離する方向つまり水平方向に移動可能な支持部本体とにより構成されているコンテナ支持部」が記載されている。
　甲第４号証には、段落【００１０】、【００３０】及び図１４、図１５の記載を参照すると、「霊廟、霊廟内に配置された保管箱載置用多段式棚、内部が複数の保管部に区分された保管箱、保管箱を棚と祭壇等の礼拝場所との間で搬送する自動搬送装置及び小窓を設けた隔壁によって霊廟と分離された、祭壇を備えた礼拝室等の礼拝場所、保管部の一つを小窓に合わせる位置決め装置と、自動搬送装置に搬送すべき保管箱（祭壇等の礼拝場所が複数ある場合には、これに加え保管箱を載置すべき祭壇等）を指示し位置決め装置に小窓に位置決めすべき保管部を指示する制御装置からなる自動搬送霊廟礼拝堂装置において、１つの礼拝室に小窓を複数設けること」が記載されている。
　
（４）対比・判断　
　本件訂正後発明１と、甲第１号証に記載された発明とを比較すると、甲第１号証に記載された発明の「壇」、「格納部」、「枠組構造」、「ローラーステーション」、「礼拝場所」及び「慰霊施設」は、それぞれの機能に照らし、各々、訂正後発明１の「祭礼用容器」、「収納室」、「収納棚」、「展示室」、「祭壇部」及び「立体祭壇装置」に相当し、甲第１号証に記載された発明では「窓」は明示されていないが、「扉を開けることで壇を礼拝する」ということは、訂正後発明１の「表示窓を通じて祭礼用容器を礼拝する」ということに対応するから、両者は、祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との間で祭礼用容器を搬送する搬送装置とを具備する立体祭壇装置において、前記展示室に、祭礼用容器の表示窓へ向けたスライドを行うスライド装置を配置した立体祭壇装置の点で一致し、下記の点で相違している。
ａ．訂正後発明１では、祭礼用容器を、パレットに複数の箱体を縦列に配置して載置すると共に、各箱体の搬出入方向と平行な側面に表示部を形成し、箱体を縦列配置した状態で祭礼用容器を収納室に収納し、また、展示室に、複数の箱体の表示部を表示窓へ向くように祭礼用容器の回転と表示窓へ向けたスライドを行う回転スライド装置を配置したのに対し、甲第１号証に記載された発明では、礼拝場所へ向けた（つまり表示窓へ向けた）スライドを行うスライド装置であるローラーを配置しているのみである点。
　ここで、甲第２号証に記載された発明の「収納具」、「収納部」、「保管部本体」、「礼拝部」、「台座」、「指示部」、「遺骨収納部」及び「納骨保管装置」は、それぞれの機能に照らし、各々、訂正後発明１の「祭礼用容器」、「収納室」、「収納棚」、「展示室」、「パレット」、「表示部」、「箱体」及び「立体祭壇装置」に相当し、甲第２号証に記載された発明の「１つの台座上前後方向に衝立を隔てて複数の遺骨収納部を備え」とは、夫婦の遺骨や家族の遺骨を同時に収納させるという訂正後発明１と同じ目的を達成するものであるから、訂正後発明１の「パレットに複数の箱体を縦列に配置して載置する」ことに対応し、また、甲第２号証に記載された発明の「台座における横側面」と訂正後発明１の「箱体の搬出入方向と平行な側面」は同じ面であるから、甲第２号証には、祭礼用容器を、パレットに複数の箱体を縦列に配置して載置すると共に、各パレットの搬出入方向と平行な側面に表示部を形成し、箱体を縦列配置した状態で祭礼用容器を収納室に収納する立体祭壇装置が記載されているといえるが、甲第２号証の指示部は、台座の横側面部分に付設されたバーコードであって台座の識別情報を示すものであり、収納部から収納具を搬送する際検出手段として使用し、礼拝部では外方側から見ることができないものであって、訂正後発明１の表示部のように、各箱体の搬出入方向と平行な側面に形成して各箱体を識別するものであり、展示室において、回転スライド装置によって複数の箱体の表示部を表示窓へ向くようにするものではない。
　一方、甲第３号証には、一般的に目標場所（甲第３号証に記載された発明の「カウンター台」、訂正後発明１の「表示窓」に相当）に向けて、容器（甲第３号証に記載された発明の「コンテナ」、訂正後発明１の「祭礼用容器」に相当）の回転とスライドを行う装置（甲第３号証に記載された発明の「コンテナ支持部」、訂正後発明１の「回転スライド装置」に相当）が記載されているが、訂正後発明１の表示部に対応するものはなく、各箱体の搬出入方向と平行な側面に表示部を形成し、複数の箱体の表示部を表示窓へ向くように祭礼用容器の回転と表示窓へ向けたスライドを行う回転スライド装置を展示室に配置するという事項は、甲第３号証にも記載されておらず、又、示唆するところもない。
　さらに、この事項は、甲第４号証にも記載されておらず、又、示唆するところもない。
　そして、訂正後発明１は、この事項によって明細書記載の作用効果を奏するものであり、訂正後発明１が上記に甲第１号証ないし甲第４号証に記載された発明に基づいて当業者が容易に発明をすることができたものとはいえない。
　また、訂正後発明２ないし４は、いずれも訂正後発明１を技術的に限定したものであるから、訂正後発明２ないし４についても、訂正後発明１で検討したのと同様のことがいえるから、したがって、訂正後発明２ないし４は、甲第１号証ないし甲第４号証に記載された発明に基づいて当業者が容易に発明をすることができたものとはいえない。
　
５．むすび
　以上のとおりであるから、異議申立ての理由及び証拠によっては、本件請求項１ないし４に係る特許を取り消すことはできない。
　また、他に本件請求項１ないし４に係る特許を取り消すべき理由を発見しない。
　よって、結論のとおり決定する。
【異議決定日】
平成１２年１１月２０日（２０００．１１．２０）
【訂正の要旨】
訂正の要旨
　特許第２９７６３３５号の明細書を、特許請求の範囲の減縮を目的として訂正事項ａのように、また、訂正事項ａに関連し、特許請求の範囲との整合をとるためなされた明りょうでない記載の釈明を目的として訂正事項ｂのように訂正する。
　訂正事項ａ：特許請求の範囲の【請求項１】を、次のように訂正する。
「パレットに載置した祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との問で祭礼用容器を搬送する搬送装置とを具備する立体祭壇装置において、パレットに複数の箱体を縦列に配置して載置すると共に、各箱体の搬出入方向と平行な側面に表示部を形成して祭礼用容器を構成し、箱体を縦列配置した状態で前記祭礼用容器を収納棚の収納室に収納し、前記展示室に、複数の箱体の表示部を表示窓へ向くように祭礼用容器の回転と表示窓へ向けたスライドを行う回転スライド装置を配置したことを特徴とする、立体祭壇装置。」
　訂正事項ｂ：明細書の段落【０００５】の【課題を解決するための手段】の記載を、次のように訂正する。
「請求項１に係る発明は、パレットに載置した祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との間で祭礼用容器を搬送する搬送装置とを具備する立体祭壇装置において、パレットに複数の箱体を縦列に配置して載置すると共に、各箱体の搬出入方向と平行な側面に表示部を形成して祭礼用容器を構成し、箱体を縦列配置した状態で前記祭礼用容器を収納棚の収納室に収納し、展示室に、複数の箱体の表示部を表示窓へ向くように祭礼用容器の回転と表示窓へ向けたスライドを行う回転スライド装置を配置したことを特徴とする、立体祭壇装置である。請求項２に係る発明は、請求項１に記載の立体祭壇装置において、通路の両側に対向して収納棚を配置し、通路に位置させた搬送装置を介して、パレットに複数の箱体を縦列配置した祭礼用容器を各収棚の収納室内に搬出入することを特徴とする、立体祭壇装置である。請求項３に係る発明は、請求項１に記載の立体祭壇装置において、祭壇部に複数の表示窓を開閉する扉を設けたことを特徴とする、立体祭壇装置。請求項４に係る発明は、請求項１に記載の立体祭壇装置において、回転スライド装置が祭礼用容器を載置する載置板と、この載置板を９０度単位で鉛直軸を中心に回転する回転手段と、載置板を表示窓へ向けて水平に進退させる進退手段とにより構成することを特徴とする、立体祭壇装置である。」
（５４）【発明の名称】
立体祭壇装置
（５７）【特許請求の範囲】
　【請求項１】　パレットに載置した祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との間で祭礼用容器を搬送する搬送装置とを具備する立体祭壇装置において、
　パレットに複数の箱体を縦列に配置して載置すると共に、各箱体の搬出入方向と平行な側面に表示部を形成して祭礼用容器を構成し、
　箱体を縦列配置した状態で前記祭礼用容器を収納棚の収納室に収納し、
　前記展示室に
、複数の箱体の表示部を表示窓へ向くように
　立体祭壇装置。
　【請求項２】　請求項１に記載の立体祭壇装置において、通路の両側に対向して収納棚を配置し、通路に位置させた搬送装置を介して、パレットに複数の箱体を縦列配置した祭礼用容器を各収棚の収納室内に搬出入することを特徴とする、立体祭壇装置。
　【請求項３】　請求項１に記載の立体祭壇装置において、祭壇部に複数の表示窓を開閉する扉を設けたことを特徴とする、立体祭壇装置。
　【請求項４】　請求項１に記載の立体祭壇装置において、回転スライド装置が祭礼用容器を載置する載置板と、この載置板を９０度単位で鉛直軸を中心に回転する回転手段と、載置板を表示窓へ向けて水平に進退させる進退手段とにより構成することを特徴とする、立体祭壇装置。
【発明の詳細な説明】
　【０００１】
　【発明の属する技術分野】
　本件発明は、人間や愛玩動物などの遺骨や遺品を収納する祭礼用容器（以下、祭礼用容器という）を保管すると共に、個別的に取り出して祭事に供する、立体祭壇装置に関する。
　【０００２】
　【従来の技術】
　近時、墓地や墓石の高騰化に伴い墓地等の入手が困難となりつつある。
　このような背景から、自動倉庫形式の慰霊施設が例えば特開昭５９−１９２１６５号公報に開示されている。この施設は多数の小型祭壇を安置する棚部と、棚部と礼拝場所との間をコンピュータ制御により搬送する搬送装置とにより構成されている。
　【０００３】
　【発明が解決しようとする課題】
　前記した慰霊施設にあっては、小型祭壇が実際の仏壇を小形化したものであるが、各収納室のスペースを大きく設計する必要があり、棚部の収容能力が低い。
　また棚部に形成されたひとつの収納室に対して一台の小型祭壇を収納する形態であるため、収容能力を高めるには棚の数を増やす方法を採らざるを得ない。
　棚を増設すると新たに搬送装置や通路を増設する必要があり、施設全体が大型化する難点がある。
　また各小形祭壇がそれぞれ独立した完成品であるため、墓石と大差ない程に高価なものとなる。
　【０００４】
　本件発明は、以上の点に鑑みてなされたもので、その目的とするところは限られたスペース内に多数の祭礼用容器を格納できて収納性の改善が図れる立体祭壇装置を提供することにある。
　さらに本件発明の他の目的は複数の祭礼用容器を同時にまたは択一的に展示して礼拝に供することができる、立体祭壇装置を提供することにある。
　【０００５】
　【課題を解決するための手段】
　請求項１に係る発明は、パレットに載置した祭礼用容器を収容する複数の収納室を上下左右方向に形成した収納棚と、祭礼用容器を静置して展示する展示室と、展示室の表側に形成し、表示窓を通じて祭礼用容器を礼拝する祭壇部と、前記特定の収納室と展示室との間で祭礼用容器を搬送する搬送装置とを具備する立体祭壇装置において、パレットに複数の箱体を縦列に配置して載置すると共に、各箱体の搬出入方向と平行な側面に表示部を形成して祭礼用容器を構成し、箱体を縦列配置した状態で前記祭礼用容器を収納棚の収納室に収納し、展示室に
、複数の箱体の表示部を表示窓へ向くように
　請求項２に係る発明は、請求項１に記載の立体祭壇装置において、通路の両側に対向して収納棚を配置し、通路に位置させた搬送装置を介して、パレットに複数の箱体を縦列配置した祭礼用容器を各収棚の収納室内に搬出入することを特徴とする、立体祭壇装置である。
　請求項３に係る発明は、請求項１に記載の立体祭壇装置において、祭壇部に複数の表示窓を開閉する扉を設けたことを特徴とする、立体祭壇装置。
　請求項４に係る発明は、請求項１に記載の立体祭壇装置において、回転スライド装置が祭礼用容器を載置する載置板と、この載置板を９０度単位で鉛直軸を中心に回転する回転手段と、載置板を表示窓へ向けて水平に進退させる進退手段とにより構成することを特徴とする、立体祭壇装置である。
　【０００６】
　【発明の実施の形態１】
　以下、図面を参照しながら本件発明の実施の形態について説明する。
　【０００７】
＜イ＞立体祭壇装置
　図１，２に立体祭壇装置の一例を示す。立体祭壇装置は多数の祭礼用容器１０を格納する収納棚２０と、隔壁３０を隔てて形成した祭壇部４０と、収納棚２０及び祭壇部４０の間で祭礼用容器１０を搬送する搬送装置とを具備している。
　以下各部について詳述する
　【０００８】
＜ロ＞祭礼用容器
　図３，４に祭礼用容器１０の一例を示す。祭礼用容器１０は搬送装置に掛止する取手１２付きのパレット１３と、パレット１３に縦列載置した複数の箱体１１，１１とよりなる。本例では１台のパレット１３に２つの箱体１１，１１を搭載する場合について説明するが、３つ以上を縦列載置する形態であっても良い。
　箱体１１は底面を開口した方形の箱で、その内部に遺骨や遺品類を格納した壼類を収容する場合もある。
　【０００９】
　箱体１１のパレット１３の長手方向に位置する側面、すなわち祭礼用容器１０の搬出入方向と平行な側面１１ａに、宗教的意義を持つ戒名などの各種宗教文字や絵柄などを表示する表示部１４が形成されている。
　表示部１４は箱体１１の側面１１ａに平面的に表示しても良いが、側面１１ａから表示部１４全体を隆起させて形成することが望ましい。
　【００１０】
　従来のこの種の格納物を格納する考え方によれば、祭壇部から見える展示面（正面）の反対面（背面）側を把持して搬送する関係から、１つの収納室に収納する収納物の数はひとつに限定された。そのため、収納棚２０の両側を利用して収納室に２つの収納物を収納するには、棚の両側に搬出入のための通路を設ける必要があった。
　【００１１】
　本件発明は従来の格納の考え方と本質を異にするもので、容器１０の搬出入方向と平行な側面１１ａに表示部１４を形成することで、ひとつの収納室２１に複数の箱体１１，１１を縦列状態で収納することが可能となる。
　尚、後述するように祭壇部に展示するときは、表示部１４が正面を向くように複数の箱体１１，１１を横列状態にする。
　【００１２】
　また、図４に示すようにパレット１３の底面に各箱体１１の角部に内接する位置に複数のピン１３ａが設けられ、これらのピン１１により各箱体１１の横移動が拘束される。
　【００１３】
＜ハ＞収納棚
　収納棚２０は上下左右方向に多数の収納室２１を形成していて、各収納室２１に取手１２を通路２３に面した状態で多数の祭礼用容器１０を収容できるように区画されている。
　【００１４】
　図４を基に収納室２１の一例について説明すると、収納室２１の床部の両側に祭礼用容器１０の出入方向に向けてＬ字形の支持板２１ａ，２１ａが配置され、これらの一対の支持板２１ａ，２１ａが縦材２１ｂに溶接されて固着されている。
　左右一対の支持板２１ａ，２１ａの間は開放されている。
　【００１５】
　各支持板２１ａの上下方向の設置間隔は祭礼用容器１０の全高より僅かに高く設定され、また各支持板２１ａ，２１ａの対向間隔は祭礼用容器１０の横幅とほぼ等しく設定されている。各支持板２１ａ，２１ａの前後両端部には上方に折曲してストッパ２１ｃが形成されていて、祭礼用容器１０が一対の支持板２１ａ，２１ａ上で前後方向に自由に移動するのを阻止している。
　【００１６】
＜ニ＞祭壇部
　図５は祭壇部４０と展示室２２の境界部の水平断面図を示し、図６にその縦断面図を示す。
　隔壁３０を間に挟んで収納棚２０の外側には祭壇部４０が形成されている。
　隔壁３０は収納棚２０と祭壇部４０の間を区画する壁で、その壁面には祭礼用容器１０を構成する箱体１１，１１の数と同数の表示窓３１が開設されている。
　【００１７】
　本例では一方の収納棚２０の側面に祭壇部４０を形成する場合について説明するが、祭壇部４０を通路２３の側部に設けても良く、また宗派に応じて収納棚２０または通路２３の複数箇所に設けても良い。
　収納棚２０の側面に祭壇部４０を形成する場合、表示窓３１に面した一部の収納室を展示室２２として構成する。
　展示室２２内には後述する祭礼用容器１０の下面を支持しながら９０度の範囲で回転し、かつ表示窓３１へ向けて進退する回転スライド装置６０が配設されている。
　表示窓３１を設けた隔壁３０の表側には祭壇４１が形成されている。祭壇４１上には焼香台や燈明等の礼拝に必要な器具が置かれる。
　【００１８】
　祭壇４１の最上段には祭礼用碑の下部を構成する祭礼用台座４２が設置されている。これは展示室２２に祭礼用容器１０を静置したとき、祭礼用容器１０の表示部１４が表示窓３１を塞ぎ、祭壇部４０側から見たとき表示部１４が祭礼用台座４２と合体して祭礼用碑を構成するためである。
　【００１９】
　表示部１４と祭礼用台座４２とにより祭礼用碑を構成するには、祭礼用台座４２の上面と表示窓３１の下辺とを一致させ、かつ、表示部１４と表示窓３１の間に隙間を発生させないように設計することが肝要である。
　【００２０】
　また祭壇部４０には表示窓３１を開閉可能な扉４３が配設されている。
　扉４３は表示窓３１に対して上下方向又は左右方向に移動可能な一枚の扉又は分割された扉、又は巻取可能なシャッターを含み、モータ等の駆動源４４の正転聖又は逆転駆動にしたがって開閉する。駆動源４４は祭礼用容器１０を展示室２２に静置した後に両扉４３，４３の一方または両方を開扉し、展示室２２から所定の収納室２１へ返却する直前に扉４３を閉扉するようにコンピュータ等で逝去される。
　【００２１】
＜ニ＞搬送装置
　搬送装置は展示室２２と収納棚２０の特定の収納室２１との間で、祭礼用容器１０を保持して搬送可能な装置であれば、例えばロボットや一般の自動倉庫に用いられる各種の搬送装置を適用できる。
　【００２２】
　図１，２に示す搬送装置について説明すると、通路２３の上下部に収納棚２０と平行に固定レール５１，５１が敷設されている。このレール５１，５１間に縦柱５２がレール５１に沿って移動できるように配置されている。縦柱５２には昇降自在にキャッチャー５０が取り付けられている。
　【００２３】
［縦柱］
　図８を基に縦柱５２の横移動機構について説明すると、縦柱５２の上下部には夫係合機構が設けられている。これらの係合機構は同一であるから、下部の係合機構について説明し、上部の係合機構については同一の符号を付してその説明を省略する。
　【００２４】
　縦柱５２の端部には基盤５２ａが設けられている。基盤５２ａの前後にはレール５１の頂面及び両側面に係合可能な複数の車輪５２ｂと係合輪５２ｃが設けられ、レール５１に対して縦柱５２が高い安定性を維持して移動できるように係合している。
　【００２５】
　また、レール５１の一側面には直線歯車５２ｄが設けられている。両基盤５２ａ，５２ａの間には回転軸５２ｅが貫通して設けられ、回転軸５２ｅの端部に設けた歯車５２ｆが前記直線歯車５２ｄに噛合している。一方の基盤５２ａに設けたモータ５２ｇが図示しない歯車を介して回転軸５２ｅに回転を伝達できるようになっている。そして、モータ５２ｇの正逆転を切り替えることで、縦柱５２がレール５１，５１に沿って移動するようになっている。
　【００２６】
［キャッチャー］
　図９を基にキャッチャー５０について説明すると、キャッチャー５０は縦柱５２に昇降自在に設けられたＬ字形の昇降架台５３と、架台５３の水平部に１８０度の正逆転が可能に搭載したターンテーブル５４と、ターンテーブル５４に進退自在に搭載した掛止体５５とにより構成される。掛止体５５は祭礼用容器１の取手１２に掛止可能なフック５５ａが形成されている。
　【００２７】
　昇降架台５３が装備する昇降用モータ５３ａは、縦柱５２の側面に設けた直線歯車５２ｈと噛合していて、昇降用モータ５３ａの正逆転により昇降架台５３が縦柱５２に係合しながら昇降するようになっている。
　【００２８】
　またターンテーブル５４は昇降架台５３に装備させた回転用モータ５３ｂにより鉛直軸を中心に回転し、また掛止体５５はターンテーブル５４に係合していて、掛止体５５に装備させた前後スライド用モータ４３ｃの回転によりターンテーブル５４上で水平移動（進退）するように構成されている。
　【００２９】
　尚、図注符号５４ａはターンテーブル５４の全部に設けた祭礼用容器１０の底面を支持するローラである。
　【００３０】
＜ニ＞回転スライド装置
　図６，７を基に回転スライド装置６０について説明する。
　回転スライド装置６０は祭礼用容器１０を載置する載置板６１と、この載置板６１を９０度単位で左回転及び右回転する回転手段と、載置板６１を表示窓３１へ向けて水平に進退させる進退手段とにより構成されている。
　【００３１】
　図示した構造について説明すると、回転スライド装置６０は基台６２に搭載されていて、走行台車６３に装備させた複数の車輪６５，６６が基台６２に支持させた左右一対の上下レール６４ａ，６４ｂに夫々係合している。走行台車６３の前後にはチェーンの両端が接続し、チェーンの途中に進退用モータ６７が配置されていて、進退用モータ６７の正逆転により載置板６１を枢支する走行台車６３が進退するようになっている。
　【００３２】
　また走行台車６３は回転用モータを具備していて、回転用モータの正逆転により載置板６１を鉛直軸を中心に９０度単位で左回転及び右回転できるようになっている。
　【００３３】
＜ホ＞制御装置
　本件発明の装置はコンピュータで制御される。
　コンピュータには予め収納棚２０の各室２１や展示室２２の位置を三次元空間における座標データとして入力しておき、キャッチャー５０が特定の室２１と展示室２２との間を移動できるように各駆動源の制御プログラムが組み込まれている。そして公知コンピュータ制御を適用することで、既述した搬送装置の駆動制御、すなわち図８，９におけるキャッチャー５０の作動、図６，７における回転スライド装置６０の作動、図５，６における扉４３の開閉作動といった各作動をコンピュータによる自動制御化を図ることができる。
　【００３４】
　【作用】
　次に立体祭壇装置の作動について説明する。
　【００３５】
＜イ＞搬出
　図１，２において、収容棚２０の各室２１内には、取手１２を通路２３へ向けた状態で祭礼用容器１０が収容されている。また搬送装置であるキャッチャー５０は通路２３内に位置している。
　【００３６】
　所定の収納室２１から祭礼用容器１０を取り出して展示室２２へ搬送する場合の作動について説明すると、特定の収納室２１をコンピュータで指定すると、コンピュータは以下のように各部の駆動源を制御する。
　【００３７】
　すなわち、レール５１，５１に沿って縦柱５２が横移動すると共に、縦柱５２に沿って昇降架台５３が昇降して、掛止体５５が指定の収納室２１の前まで移動する。次に掛止体５５が指定された収納室２１内へ向けて前進した後、昇降架台５３が僅かに上昇して掛止体５５のフックを祭礼用容器１０の取手１２に嵌合させる。掛止体６５を後退操作して祭礼用容器１０をターンテーブル５４上へ移送する。
　【００３８】
　縦柱５２の横移動、及び昇降架台５３の昇降運動により、収納室２１から取り出した祭礼用容器１０を展示室２２の前まで移送する。
　祭礼用容器１０が図２の右側の収納棚２０から取り出した場合は、ターンテーブル５４が１８０度回転してパレット１３の取手１２が展示室２２に対して通路２３側に位置するようにしておく。展示室２２まで搬送したら縦列状態のまま祭礼用容器１０をキャッチャー５０から回転スライド装置６０へ受け渡す。図６はこの状態を示す。
　【００３９】
　次に箱体１１，１１が横列状態となるように回転スライド装置６０を構成する載置板６１が９０度回転する。これにより、祭礼用容器１０の表示部１４を表示窓３１へ向けた後、各表示部１４が表示窓３１を閉鎖するまで載置板６１を水平移動する。祭礼用容器１０の各表示部１４が祭壇部４０の祭礼用台座４４と合体して所定の祭礼用碑が完成する。
　【００４０】
　図５は展示室１１へ祭礼用容器１０を縦列状態で受け渡したときから、９０度回転して横列状態となった後、水平移動して祭礼用碑が完成するまでの作動における祭礼用容器１０の向きを示す。
　【００４１】
　次にコンピュータの制御信号に基づき各扉４３，４３の両方を又は片方を開扉する。礼拝者は表示部１４と祭礼用台座４２の合体した祭礼用碑を視ながら礼拝する。
　【００４２】
＜ロ＞格納
　祭事が完了したら、搬出と逆の操作手順で展示室２２から所定の収納室２１へ祭礼用容器１０を返却する。
　【００４３】
　【発明の効果】
　本件発明は次の効果を得ることができる。
＜イ＞　祭礼用容器の搬出入方向と平行な側面に表示部を形成することで、複数の箱体を縦列状態でひとつの収納室に格納できる。
　そのため、通路を増設せずに限られた空間域に大量の箱体を収納でき、格納性が著しく向上する。
＜ロ＞　複数の箱体を横列状態で展示すると共に、扉の開閉を選択することで複数の祭礼用容器を同時にまたは択一的に展示して礼拝に供することができるできる。
　特に、夫婦単位で同時に展示したり、先祖代々と特定人物を組み合わせて同時に展示するなど、これまでにない組み合わせが可能となり、立体祭壇装置の商品価値が高くなる。
＜ハ＞　最近の墓地不足に対応して、安価で威厳のある立体祭壇装置を得ることができる。
＜ニ＞　祭礼用容器を保管したまま各種宗教的祭事に供することができ、最近の墓地不足の問題を解消できる。
【図面の簡単な説明】
　【図１】　一部を破断した立体祭壇装置の平面図
　【図２】　図１のＩＩ−ＩＩの断面図
　【図３】　収納棚の斜視図
　【図４】　収納棚の側面図
　【図５】　祭壇部と展示室の境界部の一部を破断した水平断面図
　【図６】　祭壇部と展示室の境界部の縦断面図
　【図７】　回転スライド装置の下方矢視図
　【図８】　縦柱の走行機構を説明するための下方矢視図
　【図９】　キャッチャーの説明図
　【符号の説明】
１０　　　　　祭礼用容器
１１　　　　　箱体
１２　　　　　取手
１３　　　　　パレット
１４　　　　　表示部
２０　　　　　収納棚
２１　　　　　収納室
２１ａ，２１ａ　支持板
２１ｂ　　　　縦材
２１ｃ　　　　ストッパ
２２　　　　　展示室
２３　　　　　通路
３０　　　　　隔壁
４０　　　　　祭壇部
４１　　　　　祭壇
４２　　　　　祭礼用台座
４３　　　　　扉
４４　　　　　扉の駆動源
５０　　　　　キャッチャー
５１，５１　　レール
５２　　　　　縦柱
５３　　　　　昇降架台
５４　　　　　ターンテーブル
５５　　　　　掛止体
６０　　　　　回転スライド装置
６１　　　　　載置板
６２　　　　　基台
６３　　　　　走行台車